(57)【要約】【課題】  着用物が互いに重なり合って吊下げ陳列されている場合であっても、陳列されている着用物の表示札を顧客の目に止まりやすくする。【解決手段】  吊具２を有する着用物本体１に、吊具２を介して吊り下げて陳列したときにその着用物本体１の下端縁よりも下方に垂れ下がって顧客に見えるように商品名などを記載した表示札５を吊り下げる。表示札５の吊下げ位置としてピスネーム３を選択することが可能である。【選択図】        図１
0003133483.tif 000002
【実用新案登録請求の範囲】
【請求項１】
吊具を有する着用物本体に、上記吊具を介して吊り下げて陳列したときにその着用物本体の下端縁よりも下方に垂れ下がって顧客に見えるように商品名などを記載した表示札を吊り下げてあることを特徴とする吊下げ陳列されるニットワッチなどの着用物。
【請求項２】
着用物本体での上記表示札の吊下げ位置として、着用物本体に装着されているピスネームが選択されている請求項１に記載した吊下げ陳列されるニットワッチなどの着用物。
【請求項３】
上記表示札が十字形に形作られていて、その表示札の表裏両面を使用した商品名、提供者、着用物の特性及び装着感が表示されている請求項１又は請求項２に記載した吊下げ陳列されるニットワッチなどの着用物。
【考案の詳細な説明】
【技術分野】
【０００１】
本考案は、吊下げ陳列されるニットワッチなどの着用物、特に、吊下げ陳列したときに顧客の目にとまりやすくするための対策を講じた吊下げ陳列されるニットワッチなどの着用物に関する。
【背景技術】
【０００２】
陳列台に吊り下げて陳列されているニットワッチやキャップなどの着用物は、互いに重なり合って個々の着用物に吊り下げられている表示札が顧客の目に止まりにくい。そのため、従来、顧客が購入したい着用物を選ぶときには、互いに重なり合って吊下げ陳列されている個々の着用物を手で払いのけたりしながら気に入った着用物の表示札を探し出してその商品名や提供者（メーカ）、着用物の特性、装着感などの説明を見ていることが多い。
【考案の開示】
【考案が解決しようとする課題】
【０００３】
しかしながら、従来のように、互いに重なり合って吊下げ陳列されている多くの着用物の中に気に入った着用物があったときに、その着用物に装着されている表示札を探し出すという作業は顧客にとって煩わしいものである。
【０００４】
また、顧客が購入したい着用物をあらかじめ決めてしいるときに、互いに重なり合って吊下げ陳列されている個々の着用物を手で払いのけたりしながら、あらかじめ決めている着用物を探し出すことは、煩わしいだけでなく、その着用物を見つけ出せないこともあり得る。
【０００５】
本考案は以上の状況に鑑みてなされたものであり、着用物が互いに重なり合って吊下げ陳列されていても、陳列されている着用物の表示札を顧客の目に止まりやすくすることによって、顧客にとって、購入する着用物を容易に決めることができ、しかも、目に止まった表示札からその着用物の特性などを知ることができるようにすることを目的とする。
【課題を解決するための手段】
【０００６】
本考案に係る吊下げ陳列されるニットワッチなどの着用物には、ニットワッチのほか、野球帽のようなキャップ、ヘアバンドなどの各種の着用物が含まれる。
【０００７】
そして、本考案に係る上記着用物は、吊具を有する着用物本体に、上記吊具を介して吊り下げて陳列したときにその着用物本体の下端縁よりも下方に垂れ下がって顧客に見えるように商品名などを記載した表示札を吊り下げてある、というものである。
【０００８】
この考案のように表示札が、吊下げ陳列される着用物本体の下端縁よりも下方に垂れ下がって顧客に見えるようになっていると、顧客は互いに重なり合って吊下げ陳列されている多くの着用物を払いのけたりしなくてもその表示札が目に止まるので、陳列されている着用物の種類や商品名といった表示札に表示された事項を容易に知ることが可能になるという利便性がある。したがって、顧客にとっては、従来のように表示札を探し出したりする煩わしさがなくなる。
【０００９】
本考案では、着用物本体での上記表示札の吊下げ位置として、着用物本体に装着されているピスネームが選択されていることが望ましい。
【００１０】
ピスネームとは、ニットワッチやキャップ、その他の衣類などに装着されているリボン状のタグのことであり、一般的にはそのピスネームによってメーカ名、ショップ名、ロゴマークが表示されている。したがって、この考案のように、着用物本体に装着されているピスネームを利用して表示札を吊り下げておくと、着用物本体の生地を傷めることがないとう利点がある。また、ピスネームは、たとえばニットワッチにあってはその下端縁に装着されていることが多いので、ピスネームを利用して表示札を着用物本体の下端縁よりも下方に垂れ下げて顧客の目に止まるようにする上で便利である。
【００１１】
本考案では、上記表示札が十字形に形作られていて、その表示札の表裏両面を利用して商品名、提供者、着用物の特性及び装着感が表示されている、という構成を採用することが可能である。この構成を採用すると、着用物本体の下端縁よりも下方に垂れ下がって顧客の目に止まりやすくなっている表示札が十字形に形作られていることによって、その表示札が目立って顧客の目にいっそう止まりやすくなる。しかも、その表示札には、表裏両面を利用して商品名、提供者、着用物の特性及び装着感が表示されているために、顧客は、商品名、提供者（メーカ）などの知りたい事項を容易に知ることができるようになる。
【考案の効果】
【００１２】
以上のように、本考案によれば、ニットワッチなどの着用物を互いに重ね合わせて吊下げ陳列したときに、顧客に見えるように商品名などを記載した表示札が着用物本体の下端縁よりも下方に垂れ下がっているため、顧客にとっては、互いに重なり合って吊下げ陳列されている多くの着用物を払いのけたりしなくてもその表示札が目に止まるようになる。そのため、顧客は、陳列されている着用物の種類や商品名といった表示札に表示された事項を容易に知ることが可能になり、従来のように表示札を探し出したりする煩わしさがなくなる。
【００１３】
また、表示札が着用物本体の下端縁から下方に垂れ下がっている着用物と、表示札が着用物本体の下端縁から下方に垂れ下がっていないる着用物とが混在して吊下げ陳列されているときには、表示札の垂れ下がっている着用物の方が目に止まりやすいために、それだけ販売が促進される効果も得られる。
【考案を実施するための最良の形態】
【００１４】
図１は本考案に係る着用物Ａの一例であるニットワッチの概略外観図である。この着用物Ａは、使用者が頭部に装用する着用物本体１の頂部に吊具２が装備され、かつ、その下端縁にはピスネーム３が装着されている。
【００１５】
そして、吊具２には、商品の品番、色、サイズ、提供者（提供元）などを表示した紙片でなる商品タグが４が付いている。また、この商品タグ４は、様々な商品や提供者について一般的に採用されている矩形に形作られている。
【００１６】
これに対し、着用物本体１には、上記ピスネーム３を利用して商品名などを記載した表示札５が吊り下げられている。具体的には、着用物本体１の下端縁に装着されているピスネーム３に通した樹脂製の吊り輪５１を介して表示札５が吊り下げられている。図例の表示札５は十字形に形作られていて、その表示札５の表裏両面を利用して商品名、提供者、着用物の特性及び装着感が表示されている。
【００１７】
上記したように、一般的な商品タグ４は様々な商品や提供者について一般的に採用されている矩形に形作られているために、図例の表示札５に採用されているような十字形の形状自体によって、その表示札５が顧客の目に止まりやすくなって顧客に印象付けやすい特質を有していると云える。
【００１８】
また、表示札５が、着用物本体１の下端縁に装着されているピスネーム３に通した樹脂製の吊り輪５１を介して吊り下げられていると、吊具２を用いて着用物本体１を陳列台などに吊下げ陳列したときに、表示札５が着用物本体１よりも下方に垂れ下がることになる。そのため、図２に例示したように、互いに重なり合って多くの着用物Ａが吊下げ陳列されていても、それらの着用物Ａを払いのけたりしなくても表示札５が顧客の目に止まるようになる。したがって、顧客は、陳列されている着用物Ａの種類や商品名といった表示札５に表示された事項を容易に知ることが可能になる。また、表示札５を吊り下げるのにピスネーム３を利用すると、着用物本体１に吊り輪を通す必要がなくなって、着用物本体１の生地を傷めることがない。
【００１９】
ところで、スポーツ用品店や帽子販売店などの店舗で着用物を陳列するときには、必ずしも同じメーカによって提供されている着用物を集めて１つの陳列台に吊下げ陳列するとは限らない。たとえば、複数のメーカから提供されている着用物を種類ごとに集めて１つの陳列台に吊下げ陳列することもある。そのような場合に、ある特定のメーカの着用物に付いている表示札５だけが吊下げ陳列されてい多くの着用物の下方に垂れ下がっていると、その表示札５が目立つために顧客がその表示札５に着目しやすくなって販売を促進することに役立つということを考えられる。
【００２０】
本考案において、表示札５の吊下げ位置は、着用物本体１の下端縁に装着されたピスネーム３に限定されることはなく、たとえば、ピスネーム３が着用物本体１の下端縁以外の箇所に装着されているときには、そのピスネーム３に通した吊り輪５１を長くして表示札５が着用物本体１の下端縁の下方に垂れ下がるようにしておけばよい。また、ピスネーム３を利用することなく、着用物本体１に吊り輪を通して表示札５を吊り下げる構成を採用することも可能である。
【図面の簡単な説明】
【００２１】
【図１】本考案に係る着用物Ａの一例であるニットワッチの概略外観図である。
【図２】吊下げ陳列されている着用物を例示した説明図である。
【符号の説明】
【００２２】
１  着用物本体
２  吊具
５  表示札
５１  ピスネーム
【図１】
0003133483.tif 000003
【図２】
0003133483.tif 000004